(57)【要約】      （修正有）【課題】仏事に用いる香炉であって、葬場において灰を香炉に充填する必要のないものを提供する。【解決手段】香炉本体２と、香炉本体の底部に充填された灰３と、灰の上面に接する灰保持材４と、香炉本体の上部開口を密閉して灰保持材の上方への移動を制限する密閉材５とを備える。密閉材により灰の飛散が防止される。また灰保持材を顎部の下方から上方に亘り顎部に接するように配置して、運搬中に灰が飛散して香炉本体上部に付着してしまうことを防止する。【選択図】図１
0003187835.tif 000002
【実用新案登録請求の範囲】
【請求項１】
香炉本体と、
前記香炉本体の底部に充填された灰と、
前記灰の上面に接する灰保持材と、
前記香炉本体の上部開口を密閉し、前記灰保持材の上方への移動を制限する密閉材とを備えることを特徴とする灰付き香炉。
【請求項２】
前記香炉本体の内縁形状は、水平面による断面が円形であり、前記上部開口から下方に向けて縮径して顎部に至り、前記顎部から下方に拡径するものであり、
前記灰保持材は前記顎部の下方から上方に亘り、前記顎部に略接することを特徴とする、請求項１に記載の灰付き香炉。
【請求項３】
前記密閉材が、前記開口を覆うシュリンクシートであることを特徴とする、請求項１又は２に記載の灰付き香炉。
【請求項４】
前記密閉材が、前記開口に密着する蓋であることを特徴とする、請求項１又は２に記載の灰付き香炉。
【請求項５】
前記密閉材と前記灰保持材とが、一体に成型されていることを特徴とする、請求項４に記載の灰付き香炉。
【請求項６】
前記香炉本体の内縁形状は、水平面による断面が円形であり、前記上部開口から下方に向けて縮径して顎部に至り、前記顎部から下方に拡径するものであり、
前記密閉材が、前記開口に密着する蓋であり、
前記灰保持材は、半径に沿った切れ目を有し可撓性を有する円板であり、該円の径は前記顎部の径より大きく、
前記密閉材と前記灰保持材を連結する細線体を備えることを特徴とする、請求項１に記載の灰付き香炉。
【考案の詳細な説明】
【技術分野】
【０００１】
本考案は、線香を立てる香炉に関する。
【背景技術】
【０００２】
香炉には、薫香に用いるものと仏事に用いるものとがある。仏事に用いる香炉は、主として焼香、線香立てに用いられ、香炉本体の底部に灰を充填して使用されることが多い。
【０００３】
香炉を葬儀場等に運搬する際、従来は、香炉本体と灰とを分離し て運搬し、遺体安置場所・葬儀場等において灰を香炉に充填して設置していた。灰を充填する際には、灰が飛散してしまい、祭壇の周辺・香炉に隣接する道具等に灰が付着し、又  黒色の喪服や僧服にも白色の灰が付着してしまうことがある。付着した灰の除去が容易でない場合も多く、不便であり不評である。
【０００４】
この点、焼香に用いられる香炉については灰に保持される炭に換えて電気機器を用いることにより（特許文献１参照）、線香立てに用いられる香炉については線香を保持する用具を用いることにより（特許文献２参照）、灰を用いないことのできる香炉が開示されている。
【０００５】
しかし、新しい機器を用いることは仏事におけるおごそかな雰囲気を乱すこともあり、旧来のように灰を用いる香炉が好まれている。
【先行技術文献】
【特許文献】
【０００６】
【特許文献１】特開２００９−０５０３５８号公報
【特許文献２】実用新案登録３１２６０５５号公報
【考案の概要】
【考案が解決しようとする課題】
【０００７】
本考案は、仏事に用いる香炉であって、葬場において灰を香炉に充填する必要のないものを提供することを課題とする。
【課題を解決するための手段】
【０００８】
本考案の灰付き香炉は、
香炉本体と、
前記香炉本体の底部に充填された灰と、
前記灰の上面に接する灰保持材と、
前記香炉本体の上部開口を密閉し、前記灰保持材の上方への移動を制限する密閉材とを備えることを特徴とする。
【０００９】
密閉材によって灰が密閉された香炉本体の中に収容され、灰保持材によって香炉本体内での灰の移動が制限される。
香炉本体に灰を入れた状態で運搬することができる。
【００１０】
本考案の灰付き香炉は、
前記香炉本体の内縁形状は、水平面による断面が円形であり、前記上部開口から下方に向けて縮径して顎部に至り、前記顎部から下方に拡径するものであり、
前記灰保持材は前記顎部の下方から上方に亘り、前記顎部に略接することを特徴とする。
【００１１】
灰保持材と顎部とによって、灰の上方への移動を防止する。
【００１２】
本考案の灰付き香炉は、
前記密閉材が、前記開口を覆うシュリンクシートであることを特徴とする。  
【００１３】
シュリンクシートは、密閉材として広く用いられている、本考案においても利用できる。
【００１４】
本考案の灰付き香炉は、
前記密閉材が、前記開口に密着する蓋であることを特徴とする。
【００１５】
蓋を用いることも可能である。
【００１６】
本考案の灰付き香炉は、
前記密閉材と前記灰保持材とが、一体に成型されていることを特徴とする。
【００１７】
特に蓋を用いる場合において、密閉材と前記灰保持材とを一体に成型することも可能である。
【００１８】
本考案の灰付き香炉は、
前記香炉本体の内縁形状は、水平面による断面が円形であり、前記上部開口から下方に向けて縮径して顎部に至り、前記顎部から下方に拡径するものであり、
前記密閉材が、前記開口に密着する蓋であり、
前記灰保持材は、半径に沿った切れ目を有し可撓性を有する円板であり、該円の径は前記顎部の径より大きく、
前記密閉材と前記灰保持材を連結する細線体を備えることを特徴とする。
【００１９】
顎部の径より大きな径の円板を灰保持材として、灰の飛散を完全に防止する。香炉使用時には灰保持材の可撓性により顎部を通過させて密閉材と共に外すことができる。
【考案の効果】
【００２０】
本考案の灰付き香炉は、香炉本体に灰を入れた状態で運搬でき、葬場において灰を香炉に充填する必要のないものである。
【図面の簡単な説明】
【００２１】
【図１】図１は、灰付き香炉の断面図である。
【図２】図２は、灰付き香炉の斜視図である。
【図３】図３は、灰付き香炉のバリエーションを示す断面図である。
【図４】図４は、灰付き香炉のバリエーションを示す図である。
【考案を実施するための形態】
【００２２】
以下、本考案の実施例を示す。
【００２３】
図１は、灰付き香炉の断面図である。灰付き香炉１において、香炉本体２の底部に灰３が充填され、その上に灰保持材３が載せられている。密閉材５が香炉本体２の開口部を覆い、灰保持材４が上方に離脱することがない。
【００２４】
灰保持材３の材質及び形状は任意でよいが、本実施例においては、円柱形状の発泡スチロール製とする。円柱形状であるので香炉本体２の顎部２１に略接することができる。運搬中に大きな振動があっても、灰３が顎部２１を超えて上に移動することが少ない。また、発泡スチロール製であるので軽量である。
【００２５】
密閉材５も、各種の材質及び形状のものが考えられるが、本実施例においては、シュリンクシートで香炉本体２の開口部を覆い、周縁部５１を熱着したものとする。
【００２６】
図２は、灰付き香炉の斜視図である。密閉材５は透明であり、灰保持材４が見える。この状態で灰付き香炉を運搬することができ、使用に際して灰を香炉本体に注入する必要がない。
【００２７】
図３は、灰付き香炉のバリエーションを示す断面図である。（Ａ）のように、密閉材はシュリンクシートでなく蓋６であってもよい。
【００２８】
密閉材が蓋６であれば、（Ｂ）のように灰保持材を蓋と一体化し、蓋の一部６２とすることもできる。
【００２９】
図４は、灰付き香炉のバリエーションを示す図である。（Ａ）は断面図である。灰保持材４は顎部２１よりも径の大きな円板であり、灰３の飛散を防止する。蓋６と。灰保持材４は、紐７で結ばれている。なお、紐でなく針金や棒であってもよい。（Ｂ）は灰保持材４の平面図である。灰保持材４には切れ目４１が設けられている。（Ｃ）は蓋６を持ち上げた状態を示す図である。灰保持材４は可撓性を有し、切れ目４１において重なって顎部２１を通過する。
【００３０】
以上は例であり、香炉本体、灰保持材、密閉材の材質及び形状は任意のものとすることができる。
【産業上の利用可能性】
【００３１】
香炉本体に灰を入れた状態で運搬でき、葬場等において灰を香炉に充填する必要のない香炉であり、多くの葬儀催行業者及び寺院による利用が考えられる。
【符号の説明】
【００３２】
１    灰付き香炉
２    香炉本体
３    灰
４    灰保持材
５    密閉材（シュリンクシート）
６    蓋
７    紐 
【図１】
0003187835.tif 000003
【図２】
0003187835.tif 000004
【図３】
0003187835.tif 000005
【図４】
0003187835.tif 000006